(57)【特許請求の範囲】
【請求項１】
第１及び第２の無指向性マイクロホン有し、該第１及び第２の無指向性マイクロホンからの第１及び第２の音声信号を合成して、有指向性のステレオ音場信号を生成するようにしたステレオマイクロホン装置において、
上記第１及び第２の音声信号それぞれの音声帯域を、それぞれ複数の音声帯域に分割する第１及び第２の帯域分割手段と、
該第１及び第２の帯域分割手段よりの、それぞれ複数の第１及び第２の帯域分割音声信号をそれぞれ遅延させると共にレベルを変える、それぞれ複数の第１及び第２の遅延・減衰手段と、
該それぞれ複数の第１及び第２の遅延・減衰手段よりの、それぞれ複数の第１及び第２の遅延・減衰出力をそれぞれ加算する第１及び第２の加算手段と、
上記第２の加算手段よりの加算出力を上記第１の音声信号から減算する第１の減算手段と、
上記第１の加算手段よりの加算出力を上記第２の音声信号から減算する第２の減算手段とを有してなり、
該第１及び第２の減算手段より、上記有指向性のステレオ音場信号を得るようにしたことを特徴とするステレオマイクロホン装置。
【請求項２】
第１及び第２の無指向性マイクロホン有し、該第１及び第２の無指向性マイクロホンからの第１及び第２の音声信号を合成して、有指向性のステレオ音場信号を生成するようにしたステレオマイクロホン装置において、
上記第１及び第２の音声信号それぞれの音声帯域を、それぞれ複数の音声帯域に分割する第２及び第１の帯域分割手段と、
該第２及び第１の帯域分割手段よりの、それぞれ複数の第２及び第１の帯域分割音声信号をそれぞれ遅延させると共にレベルを変える、それぞれ複数の第２及び第１の遅延・減衰手段と、
上記第２及び第１の帯域分割手段よりの、それぞれ複数の第２及び第１の帯域分割音声信号から、上記それぞれ複数の第１及び第２の遅延・減衰手段よりの、それぞれ複数の第１及び第２の遅延・減衰出力をそれぞれ減算する、それぞれ複数の第１及び第２の減算手段と、
該それぞれ複数の第１及び第２の減算手段よりのそれぞれ複数の第１及び第２の減算出力それぞれのレベルを制御する、それぞれ複数の第１及び第２のレベル制御手段と、
該それぞれ複数の第１及び第２のレベル制御手段よりのそれぞれ複数の第１及び第２の被レベル制御出力をそれぞれ加算する第１及び第２の加算手段とを有し、
該第１及び第２の加算手段より、上記有指向性のステレオ音場信号を得るようにしたことを特徴とするステレオマイクロホン装置。
【発明の詳細な説明】
【０００１】
【発明の属する技術分野】
本発明は、第１及び第２の無指向性マイクロホン有し、その第１及び第２の無指向性マイクロホンからの第１及び第２の音声信号を合成して、有指向性のステレオ音場信号を生成するようにしたステレオマイクロホン装置に関する。
【０００２】
【従来の技術】
先ず、図１を参照して、従来のステレオマイクロホン装置〔特開平４−２７２９８号公報（特許第２９４６６３８号）参照〕について説明する。このステレオマイクロホン装置は、音声帯域の高域側はキャビネット形状と、一対の無指向性マイクロホン間の間隔とによってステレオ感を得、低域側は一対の無指向性マイクロホンよりの左及び右音声信号の位相差を利用し、後述する回路処理によってステレオ感を得るようにしたものである。この音声帯域の高域側及び低域側の分割は、ローパスフィルタを用いて行われ、そのローパスフィルタのカットオフ周波数は、一対の無指向性マイクロホン間の間隔に依存するが、一般的には数ｋＨｚ、例えば、６ｋＨｚ程度である。換言すれば、かかるステレオマイクロホン装置は、音声帯域を２つの帯域に分け、その低域側のみを回路を用いてステレオ音場処理するようにしたものと言うことができる。
【０００３】
以下に、図１を参照して、この従来のステレオマイクロホン装置の回路構成を説明する。第１及び第２の無指向性マイクロホン１、２よりの第１及び第２の音声信号（右及び左音声信号）（Ｒch及びＬch入力）が、それぞれ第１及び第２の増幅器（ＡＭＰ）３、４に入力して増幅され、その各増幅出力はそれぞれ第１及び第２の加算器（減算器）９、１０に供給される。
【０００４】
第１及び第２の増幅器３、４よりのそれぞれ増幅された第１及び第２の音声信号は、それぞれ第１及び第２の遅延器（ローパスフィルタ）５、６及び第１及び第２の減衰器７、８からなる第１及び第２の遅延・減衰手段を通じることによって、遅延されると共に、ローパスフィルタのカットオフ周波数以下に帯域制限され、且つ、適正レベルに減衰された第２及び第１の遅延・減衰出力が、それぞれ第１及び第２の加算器（減算器）９、１０に供給されて、第１及び第２の増幅器３、４よりのそれぞれ増幅された第１及び第２の音声信号から、それぞれ減算されることによって、マトリクス処理が行われる。
【０００５】
そして、第１及び第２の減算器（加算器）９、１０よりの各減算出力が、それぞれフィルタ回路で構成される第１及び第２のイコライザ１１、１２に供給されて、周波数特性が整えられて、有指向性のステレオ音場信号、即ち、第１及び第２の出力音声信号（Ｒch及びＬch）１３、１４が出力される。
【０００６】
第１及び第２の無指向性マイクロホン１、２間の間隔は、３０ｍｍ程度である。又、それぞれローパスフィルタから構成される第１及び第２の遅延器５、６のその各ローパスフィルタのカットオフ周波数は、約６ｋＨｚである。そして、第１及び第２の無指向性マイクロホン１、２からの第１及び第２の音声信号のうち、約６ｋＨｚ以下の周波数成分は、加算器（減算器）９、１０によって演算され、約６ｋＨｚを超える周波数成分は、マイク間距離と、第１及び第２の無指向性マイクロホン１、２が実装されるキャビネット形状により空間的にステレオ演算される。
【０００７】
【発明が解決しようとする課題】
第１及び第２の無指向性マイクロホン１、２が実装される電子機器の小型化、即ち、キャビネットの小型化に伴い、第１及び第２の無指向性マイクロホン１、２間の距離が、例えば、１０ｍｍと狭くなった場合には、第１及び第２の遅延器５、６を構成するローパスフィルタのカットオフ周波数は、約１８ｋＨｚとなり、音声帯域の全域に亘り、回路による電気的なステレオ演算処理が必要になる。
【０００８】
又、音声帯域が高域まで延長されるに従って、音声がマイクロホンが実装されるキャビネットの形状の影響を受け易くなるため、第１及び第２の無指向性マイクロホンからの第１及び第２の音声信号の第１及び第２の遅延器を構成するローパスフィルタのカットオフ周波数以下の周波数成分を、一様な特性でステレオ演算するのでは、最適なステレオ音場を実現することはできない。
【０００９】
例えば、ビデオカメラは、近年、ますます小型化が進み、そのキャビネットの設計やそのキャビネットに実装されるマイクロホンの配置の条件は頗る厳しくなっているため、従来のように、一対の無指向性のマイクロホン間の間隔及びそのキャビネットの構造によって、音声の高域側のステレオ音場は得られ難くなって来ている。従って、音声帯域全体に亘って、回路を用いたステレオ音場補正を行うことが必要になって来ているが、その場合に、キャビネット等の影響を受け易い高域側と、影響を受け難い低域側とでは、回路によるステレオ音場処理の方法を変えて最適化する必要がある。
【００１０】
又、上述の従来のステレオマイクロホン装置〔特開平４−２７２９８号公報（特許第２９４６６３８号）〕のステレオ演算回路は、左及び右音声信号の非相関性を強調するために、殆ど全てが非相関性成分である風雑音を、ステレオ演算回路を通すと、雑音が増強される不具合があるが、風雑音帯域である数十Ｈｚから数百Ｈｚおいて、ステレオ感を弱めることで、その不具合を改善することができる。
【００１１】
かかる点に鑑み、本発明は、第１及び第２の無指向性マイクロホンが実装されるキャビネットの違いにより音声周波数帯域に音場の乱れが生じても、音場の乱れに無関係に全音声帯域で良好ななステレオ音場特性を実現することのできるステレオマイクロホン装置を提案しようとするものである。
【００１２】
【課題を解決するための手段】
第１の発明は、第１及び第２の無指向性マイクロホン有し、その第１及び第２の無指向性マイクロホンからの第１及び第２の音声信号を合成して、有指向性のステレオ音場信号を生成するようにしたステレオマイクロホン装置において、第１及び第２の音声信号それぞれの音声帯域を、それぞれ複数の音声帯域に分割する第１及び第２の帯域分割手段と、その第１及び第２の帯域分割手段よりの、それぞれ複数の第１及び第２の帯域分割音声信号をそれぞれ遅延させると共にレベルを変える、それぞれ複数の第１及び第２の遅延・減衰手段と、そのそれぞれ複数の第１及び第２の遅延・減衰手段よりの、それぞれ複数の第１及び第２の遅延・減衰出力をそれぞれ加算する第１及び第２の加算手段と、第２の加算手段よりの加算出力を第１の音声信号から減算する第１の減算手段と、第１の加算手段よりの加算出力を第２の音声信号から減算する第２の減算手段とを有してなり、その第１及び第２の減算手段より、有指向性のステレオ音場信号を得るようにしたステレオマイクロホン装置。
【００１３】
第２の発明は、第１及び第２の無指向性マイクロホン有し、その第１及び第２の無指向性マイクロホンからの第１及び第２の音声信号を合成して、有指向性のステレオ音場信号を生成するようにしたステレオマイクロホン装置において、第１及び第２の音声信号それぞれの音声帯域を、それぞれ複数の音声帯域に分割する第２及び第１の帯域分割手段と、その第２及び第１の帯域分割手段よりの、それぞれ複数の第２及び第１の帯域分割音声信号をそれぞれ遅延させると共にレベルを変える、それぞれ複数の第２及び第１の遅延・減衰手段と、第２及び第１の帯域分割手段よりの、それぞれ複数の第２及び第１の帯域分割音声信号から、それぞれ複数の第１及び第２の遅延・減衰手段よりの、それぞれ複数の第１及び第２の遅延・減衰出力をそれぞれ減算する、それぞれ複数の第１及び第２の減算手段と、そのそれぞれ複数の第１及び第２の減算手段よりのそれぞれ複数の第１及び第２の減算出力それぞれのレベルを制御する、それぞれ複数の第１及び第２のレベル制御手段と、そのそれぞれ複数の第１及び第２のレベル制御手段よりのそれぞれ複数の第１及び第２の被レベル制御出力をそれぞれ加算する第１及び第２の加算手段とを有し、その第１及び第２の加算手段より、有指向性のステレオ音場信号を得るようにしたステレオマイクロホン装置である。
【００１４】
第１の発明によれば、第１及び第２の帯域分割手段によって、第１及び第２の音声信号それぞれの音声帯域を、それぞれ複数の音声帯域に分割し、それぞれ複数の第１及び第２の遅延・減衰手段によって、第１及び第２の帯域分割手段よりの、それぞれ複数の第１及び第２の帯域分割音声信号をそれぞれ遅延させると共にレベルを変え、第１及び第２の加算手段によって、そのそれぞれ複数の第１及び第２の遅延・減衰手段よりの、それぞれ複数の第１及び第２の遅延・減衰出力を加算し、第１の減算手段によって、第２の加算手段よりの加算出力を第１の音声信号から減算し、第２の減算手段によって、第１の加算手段よりの加算出力を第２の音声信号から減算し、その第１及び第２の減算手段より、有指向性のステレオ音場信号を得るようにする。
【００１５】
第２の発明によれば、第２及び第１の帯域分割手段によって、第１及び第２の音声信号それぞれの音声帯域を、それぞれ複数の音声帯域に分割し、それぞれ複数の第２及び第１の遅延・減衰手段によって、第２及び第１の帯域分割手段よりの、それぞれ複数の第２及び第１の帯域分割音声信号をそれぞれ遅延させると共にレベルを変え、それぞれ複数の第１及び第２の減算手段によって、第２及び第１の帯域分割手段よりの、それぞれ複数の第２及び第１の帯域分割音声信号から、それぞれ複数の第１及び第２の遅延・減衰手段よりの、それぞれ複数の第１及び第２の遅延・減衰出力をそれぞれ減算し、それぞれ複数の第１及び第２のレベル制御手段によって、そのそれぞれ複数の第１及び第２の減算手段よりのそれぞれ複数の第１及び第２の減算出力それぞれのレベルを制御し、第１及び第２の加算手段によって、そのそれぞれ複数の第１及び第２のレベル制御手段よりのそれぞれ複数の第１及び第２の被レベル制御出力をそれぞれ加算し、その第１及び第２の加算手段より、有指向性のステレオ音場信号を得るようにする。
【００１６】
【発明の実施の形態】
以下に、図２を参照して、本発明の実施の形態のステレオマイクロホン装置の一例の回路構成を詳細に説明するも、図２において、図１と対応する部分には、同一符号を付して説明する。この例のステレオマイクロホン装置は、第１及び第２の無指向性マイクロホン１、２を有し、その第１及び第２の無指向性マイクロホン１、２からの第１及び第２の音声信号を合成して、有指向性のステレオ音場信号を生成するようにしたステレオマイクロホン装置である。
【００１７】
第１及び第２の無指向性マイクロホン１、２よりの第１及び第２の音声信号（右及び左音声信号）（Ｒch及びＬch入力）が、それぞれ第１及び第２の増幅器３、４に入力して増幅され、その各増幅出力はそれぞれ第１及び第２の加算器９、１０に供給される。
【００１８】
第１及び第２の増幅器３、４に入力して増幅されたその各増幅出力は、第１及び第２の音声信号それぞれの音声帯域を、それぞれ複数、ここでは、例えば、４つの音声帯域に分割する第１及び第２の帯域分割手段に供給する。第１の帯域分割手段は、互いに並列接続された第１〜第４の帯域分割部３０〜３３から構成される。又、第２の帯域分割手段は、互いに並列接続された第１〜第４の帯域分割部３４〜３７から構成される。
【００１９】
これらの第１〜第４の帯域分割部３０〜３３及び３４〜３７をそれぞれバンドパスフィルタ（ＢＰＦ）にて構成した場合は、その各フィルタバンクは、図３のＢ1 〜Ｂ4 に示すように、順次低域から高域となり、隣接する通過帯域がそれぞれ一部重複している。
【００２０】
これらの第１〜第４の帯域分割部３０〜３３及び３４〜３７をそれぞれローパスフィルタ（ＬＰＦ）にて構成した場合は、その各フィルタバンクは、図４のＢ1 〜Ｂ4 に示すように、カットオフ周波数が順次低から高へと異なるローパスフィルタ特性ＬＰＦ1 〜ＬＰＦ4 において、ローパスフィルタ特性ＬＰＦ4 の帯域からローパスフィルタ特性ＬＰＦ3 の帯域を減算した帯域Ｂ4 、ローパスフィルタ特性ＬＰＦ3 の帯域からローパスフィルタ特性ＬＰＦ2 の帯域を減算した帯域Ｂ3 、ローパスフィルタ特性ＬＰＦ2 の帯域からローパスフィルタ特性ＬＰＦ1 の帯域を減算した帯域Ｂ2 及びローパスフィルタ特性ＬＰＦ1 による帯域Ｂ1 が通過帯域となり、通過帯域の低域側は一部重複している。
【００２１】
この場合、第１の帯域分割部３０、３４の通過帯域は同じである。同様に、第２の帯域分割部３１、３５の通過帯域は同じである。第３の帯域分割部３２、３６の通過帯域は同じである。第４の帯域分割部３３、３７の通過帯域は同じである。
【００２２】
第１〜第４の帯域分割部３０〜３３よりの帯域分割出力は、それぞれ第１〜第４の遅延手段４０〜４３及び第１〜第４の減衰手段５０〜５３の第１〜第４の縦続手段を通じて、第１の加算器（加算手段）２０に供給されて加算され、その加算出力は第２の加算器（減算器）〔加算手段（減算手段）〕１０に供給されて、第２の増幅器４よりの増幅された左音声信号から減算され、即ち、マトリクス演算処理が行われる。
【００２３】
第１〜第４の帯域分割部３４〜３７よりの帯域分割出力は、それぞれ第１〜第４の遅延手段４４〜４７及び第１〜第４の減衰手段５４〜５７の第１〜第４の縦続手段を通じて、第２の加算器（加算手段）２１に供給されて加算され、その加算出力は第１の加算器（減算器）〔加算手段（減算手段）〕９に供給されて、第１の増幅器３よりの増幅された右音声信号から減算され、即ち、マトリクス演算処理が行われる。
【００２４】
第１及び第２の減算器（加算器）９、１０よりの各減算出力が、それぞれフィルタ回路で構成される第１及び第２のイコライザ１１、１２に供給されて、周波数特性が整えられた後、有指向性のステレオ音場信号、即ち、第１及び第２の出力音声信号（Ｒch及びＬch）１３、１４が出力される。
【００２５】
そして、第１〜第４の帯域分割部３０〜３３よりの帯域分割出力毎に、第１〜第４の遅延手段４０〜４３の遅延時間及び第１〜第４の減衰手段５０〜５３の減衰量並びに第１〜第４の帯域分割部３４〜３７よりの帯域分割出力毎に、第１〜第４の遅延手段４４〜４７の遅延時間及び第１〜第４の減衰手段５４〜５７の減衰量を、それぞれ各別に最適化することにより、音声帯域全体に亘って良好なステレオ音場特性を得ることができる。
【００２６】
図１について説明した従来のステレオマイクロホン装置では、第１及び第２の遅延器５、６が、帯域制限機能をも兼ねていたので、これは通常ローパスフィルタ（ＬＰＦ）で構成されたが、その場合、遅延量及びカットオフ周波数の２つのパラメータを同時に満足させるためには、使用するフィルタの最適化が必要であり、その合わせ込みが困難であったが、図２について説明したステレオマイクロホン装置の場合は、帯域分割手段及び遅延手段が独立であるので、通過帯域及び遅延量の２つのパラメータの最適化は、頗る容易である。
【００２７】
以下に、図５を参照して、本発明の実施の形態のステレオマイクロホン装置の他の例の回路構成を詳細に説明するも、図５において、図１及び図２と対応する部分には、同一符号を付して説明する。この例のステレオマイクロホン装置は、図２と同様に、第１及び第２の無指向性マイクロホン１、２有し、その第１及び第２の無指向性マイクロホン１、２からの第１及び第２の音声信号を合成して、有指向性のステレオ音場信号を生成するようにしたステレオマイクロホン装置である。
【００２８】
第１及び第２の無指向性マイクロホン１、２よりの第１及び第２の音声信号（右及び左音声信号）（Ｒch及びＬch入力）が、それぞれ第１及び第２の増幅器３、４に入力して増幅される。
【００２９】
第１及び第２の増幅器３、４に入力して増幅されたその各増幅出力は、第１及び第２の音声信号それぞれの音声帯域を、それぞれ複数、ここでは、例えば、４つの音声帯域に分割する第２及び第１の帯域分割手段に供給する。第１の帯域分割手段は、互いに並列接続された第１〜第４の帯域分割部３０〜３３から構成される。又、第２の帯域分割手段は、互いに並列接続された第１〜第４の帯域分割部３４〜３７から構成される。
【００３０】
これらの第１〜第４の帯域分割部３０〜３３及び３４〜３７をそれぞれバンドパスフィルタ（ＢＰＦ）にて構成した場合は、その各フィルタバンクは、図３のＢ1 〜Ｂ4 に示すように、順次低域から高域となり、隣接する通過帯域がそれぞれ一部重複している。
【００３１】
これらの第１〜第４の帯域分割部３０〜３３及び３４〜３７をそれぞれローパスフィルタ（ＬＰＦ）にて構成した場合は、その各フィルタバンクは、図４のＢ1 〜Ｂ4 に示すように、カットオフ周波数が順次低から高へと異なるローパスフィルタ特性ＬＰＦ1 〜ＬＰＦ4 において、ローパスフィルタ特性ＬＰＦ4 の帯域からローパスフィルタ特性ＬＰＦ3 の帯域を減算した帯域Ｂ4 、ローパスフィルタ特性ＬＰＦ3 の帯域からローパスフィルタ特性ＬＰＦ2 の帯域を減算した帯域Ｂ3 、ローパスフィルタ特性ＬＰＦ2 の帯域からローパスフィルタ特性ＬＰＦ1 の帯域を減算した帯域Ｂ2 及びローパスフィルタ特性ＬＰＦ1 による帯域Ｂ1 が通過帯域となり、通過帯域の低域側は一部重複している。
【００３２】
この場合、第１の帯域分割部３０、３４の通過帯域は同じである。同様に、第２の帯域分割部３１、３５の通過帯域は同じである。第３の帯域分割部３２、３６の通過帯域は同じである。第４の帯域分割部３３、３７の通過帯域は同じである。
【００３３】
第１〜第４の帯域分割部３０〜３３よりの帯域分割出力は、それぞれ第１〜第４の加算器（減算器）〔加算手段（減算手段）〕６４〜６７に供給される。又、第１〜第４の帯域分割部３４〜３７よりの帯域分割出力は、それぞれ第１〜第４の加算器（減算器）〔加算手段（減算手段）〕６０〜６３に供給される。
【００３４】
第１〜第４の帯域分割部３０〜３３よりの帯域分割出力は、それぞれ第１〜第４の遅延手段４０〜４３及び第１〜第４の減衰手段５０〜５３の第１〜第４の縦続手段を通じて、第１〜第４の加算器（減算器）〔加算手段（減算手段）〕６０〜６３に供給されて、それぞれ第１〜第４の帯域分割部３４〜３７よりの帯域分割出力からそれぞれ減算される。
【００３５】
第１〜第４の帯域分割部３４〜３７よりの帯域分割出力は、それぞれ第１〜第４の遅延手段４４〜４７及び第１〜第４の減衰手段５４〜５７の第１〜第４の縦続手段を通じて、それぞれ第１〜第４の加算器（減算器）〔加算手段（減算手段）〕６４〜６７に供給されて、それぞれ第１〜第４の帯域分割部３０〜３３よりの帯域分割出力からそれぞれ減算される。
【００３６】
第１〜第４の減算器６０〜６３よりの第１〜第４の減算出力は、それぞれ第１〜第４の利得制御手段７０〜７３に供給されて、それぞれレベルが制御された後、第１の加算器（加算手段）８０に供給されて加算される。
【００３７】
第１〜第４の減算器６４〜６７よりの第１〜第４の減算出力は、それぞれ第１〜第４の利得制御手段７４〜７７に供給されて、それぞれレベルが制御された後、第２の加算器（加算手段）８１に供給されて加算される。
【００３８】
そして、第１及び第２の加算器８０、８１よりの有指向性のステレオ音場信号、即ち、第１及び第２の出力音声信号（Ｒch及びＬch）１３、１４が出力される。
【００３９】
図２及び図５に示した本発明の実施の形態のステレオマイクロホン装置においては、音声帯域の第１及び第２の帯域分割手段によって分割された各帯域毎に、第１及び第２の無指向性マイクロホンのキャビネットに対する取付け間隔や周囲のキャビネット形状による音場の影響を考慮して、ステレオ感特性や周波数レベル特性等のパラメータを最適に設定することができる。
【００４０】
図２及び図５に示した本発明の実施の形態のステレオマイクロホン装置は、アナログ回路でも、デジタル回路でも構成することができ、又、デジタルシグナルプロセッサ（ＤＳＰ）やコンピュータ上で動作するソフトウェアにても実現することができる。
【００４１】
【発明の効果】
第１の発明によれば、第１及び第２の無指向性マイクロホン有し、その第１及び第２の無指向性マイクロホンからの第１及び第２の音声信号を合成して、有指向性のステレオ音場信号を生成するようにしたステレオマイクロホン装置において、第１及び第２の音声信号それぞれの音声帯域を、それぞれ複数の音声帯域に分割する第１及び第２の帯域分割手段と、第１及び第２の帯域分割手段よりの、それぞれ複数の第１及び第２の帯域分割音声信号をそれぞれ遅延させると共にレベルを変える、それぞれ複数の第１及び第２の遅延・減衰手段と、そのそれぞれ複数の第１及び第２の遅延・減衰手段よりの、それぞれ複数の第１及び第２の遅延・減衰出力をそれぞれ加算する第１及び第２の加算手段と、第２の加算手段よりの加算出力を第１の音声信号から減算する第１の減算手段と、第１の加算手段よりの加算出力を第２の音声信号から減算する第２の減算手段とを有してなり、その第１及び第２の減算手段より、有指向性のステレオ音場信号を得るようにしたので、風雑音の影響を受け易い低域周波数や、キャビネット形状の影響を受け易い高域周波数で最適なステレオ感や周波数特性が得られ、音声帯域全域に亘ってステレオ化演算効果の得られるステレオマイクロホン装置を得ることができる。
【００４２】
第２の発明によれば、第１及び第２の無指向性マイクロホン有し、その第１及び第２の無指向性マイクロホンからの第１及び第２の音声信号を合成して、有指向性のステレオ音場信号を生成するようにしたステレオマイクロホン装置において、第１及び第２の音声信号それぞれの音声帯域を、それぞれ複数の音声帯域に分割する第２及び第１の帯域分割手段と、第２及び第１の帯域分割手段よりの、それぞれ複数の第２及び第１の帯域分割音声信号をそれぞれ遅延させると共にレベルを変える、それぞれ複数の第２及び第１の遅延・減衰手段と、第２及び第１の帯域分割手段よりの、それぞれ複数の第２及び第１の帯域分割音声信号から、それぞれ複数の第１及び第２の遅延・減衰手段よりの、それぞれ複数の第１及び第２の遅延・減衰出力をそれぞれ減算する、それぞれ複数の第１及び第２の減算手段と、そのそれぞれ複数の第１及び第２の減算手段よりのそれぞれ複数の第１及び第２の減算出力それぞれのレベルを制御する、それぞれ複数の第１及び第２のレベル制御手段と、そのそれぞれ複数の第１及び第２のレベル制御手段よりのそれぞれ複数の第１及び第２の被レベル制御出力をそれぞれ加算する第１及び第２の加算手段とを有し、その第１及び第２の加算手段より、有指向性のステレオ音場信号を得るようにしたので、風雑音の影響を受け易い低域周波数や、キャビネット形状の影響を受け易い高域周波数で最適なステレオ感や周波数特性が得られ、音声帯域全域に亘ってステレオ化演算効果が得られると共に、音声帯域の分割された各帯域を好みのレベルに調整できるレベルイコライザ機能を実現でき、しかも、イコライザ回路における高次フィルタを使用しないため、位相特性やＳ／Ｎを従来より改善することのできるステレオマイクロホン装置を得ることができる。
【図面の簡単な説明】
【図１】従来のステレオマイクロホン装置を示すブロック線図である。
【図２】本発明の実施の形態のステレオマイクロホン装置の一例を示すブロック線図である。
【図３】帯域分割手段をバンドパスフィルタにて構成した場合のフィルタバンクの周波数特性を示す特性曲線図である。
【図４】帯域分割手段をローパスフィルタにて構成した場合のフィルタバンクの周波数特性を示す特性曲線図である。
【図５】本発明の実施の形態のステレオマイクロホン装置の他の例を示すブロック線図である。
【符号の説明】
１、２  第１及び第２の無指向性マイクロホン、３、４  増幅器、９、１０  減算器、１１、１２  イコライザ、２０、２１  加算器、３０〜３７  帯域分割部、４０〜４７  遅延手段、５０〜５７  減衰手段。
【図１】
0003879559.tif 000002
【図２】
0003879559.tif 000003
【図３】
0003879559.tif 000004
【図４】
0003879559.tif 000005
【図５】
0003879559.tif 000006